(57)【要約】      （修正有）【課題】配線空間を節約することができる無線周波タグを備えた電子素子及びこの電子素子を用いた回路基板を提供する。【解決手段】回路基板１００は、板体１０及び板体に集積された複数の電子素子を備え、少なくとも１つの電子素子には、無線周波タグ７０が実装され、無線周波タグの内部には、電子素子を有する回路基板の識別情報が記憶されていることを特徴とする。【選択図】図１
0003191709.tif 000002
【実用新案登録請求の範囲】
【請求項１】
板体及び前記板体に集積された複数の電子素子を備え、少なくとも１つの前記電子素子には、無線周波タグが実装され、前記無線周波タグの内部には、前記電子素子を有する回路基板の身分識別情報が記憶されていることを特徴とする回路基板。
【請求項２】
前記複数の電子素子は、コンデンサ及びインダクタンスを備え、前記無線周波タグは、前記コンデンサ及び前記インダクタンスに実装されていることを特徴とする請求項１に記載の回路基板。
【請求項３】
前記コンデンサは、周面を有するハウジングを備え、前記インダクタンスは、上面を有するハウジングを備え、
前記無線周波タグは、接着或いは嵌め込みの方法によって、前記周面及び前記上面に設けられることを特徴とする請求項２に記載の回路基板。
【請求項４】
前記無線周波タグは、前記回路基板の識別情報が記憶されているチップ及び前記チップに電気的に接続された誘導コイルを備え、
前記誘導コイルは、前記回路基板の中の交流電流が発生する磁場に感応することで、前記チップを駆動するための電流を生成することを特徴とする請求項１に記載の回路基板。
【請求項５】
板体を備える回路基板であって、前記回路基板は、複数の電子素子及び１つの無線周波タグをさらに備え、前記複数の電子素子は、前記板体に集積され、前記無線周波タグは、少なくとも１つの前記電子素子に実装されていることを特徴とする回路基板。
【請求項６】
無線周波タグが実装された電子素子であって、前記無線周波タグは、チップ及び前記チップに電気的に接続された誘導コイルを備え、前記チップ及び前記誘導コイルは、何れも前記電子素子に設けられていることを特徴とする電子素子。
【考案の詳細な説明】
【技術分野】
【０００１】
本考案は、電子素子及び回路基板に関し、特に無線周波タグを備えた電子素子及び回路基板に関するものである。
【背景技術】
【０００２】
回路基板を製造する過程において、回路基板を追跡して、その生産日及び型番などの情報を随時管理してコントロールする必要がある。従来から、通常回路基板の板体の表面にバーコード或いは他の識別可能な紙を貼り付けるような追跡方法が採用されている。しかし、このような方法は、回路基板の有限な配線空間を占有する。また、バーコード等を貼る行為は、回路基板の洗浄、耐食性及び耐熱性に不利である。
【考案の概要】
【考案が解決しようとする課題】
【０００３】
本考案は、上記の問題点を考慮してなされたものであり、配線空間を節約することができる無線周波タグを備えた電子素子及びこの電子素子を用いた回路基板を提供することを目的とする。
【課題を解決するための手段】
【０００４】
上記の目的を達成するために、本考案に係る回路基板は、板体及び前記板体に集積された複数の電子素子を備え、少なくとも１つの前記電子素子には、無線周波タグが実装され、前記無線周波タグの内部には、前記電子素子を有する回路基板の識別情報が記憶されている。
【０００５】
また、上記の目的を達成するために、本考案に係る回路基板は、板体と、複数の電子素子と、１つの無線周波タグと、を備え、前記複数の電子素子は、前記板体に集積され、前記無線周波タグは、少なくとも１つの前記電子素子に実装されている。
【０００６】
また、上記の目的を達成するために、本考案に係る電子素子は、無線周波タグが実装されており、前記無線周波タグは、チップ及び前記チップに電気的に接続された誘導コイルを備え、前記チップ及び前記誘導コイルは、何れも前記電子素子に設けられている。
【考案の効果】
【０００７】
従来の技術と異なり、本考案に係る無線周波タグを備える回路基板は、無線周波タグを電子素子に実装する。これにより、前記電子素子は、素子としての機能を有するだけでなく、非接触型の自動識別機能も有する。また、無線周波タグを電子素子に実装することで、前記電子素子を備える回路基板の配線空間を効果的に節約することができる。
【図面の簡単な説明】
【０００８】
【図１】本考案の実施形態に係る無線周波タグを備える回路基板の構造を示す図である。
【図２】図１に示した無線周波タグを備えた回路基板に集積されたコンデンサの構造を示す図である。
【図３】図１に示した無線周波タグを備えた回路基板に集積されたインダクタンスの構造を示す図である。
【考案を実施するための形態】
【０００９】
図１に示すように、本考案の実施形態に係る無線周波タグを備えた回路基板１００は、板体１０と、複数の電子素子と、少なくとも１つの無線周波タグ７０と、を備える。本実施形態において、上記の複数の電子素子は、１つのコンデンサ３０及び１つのインダクタンス５０を含む。
【００１０】
板体１０は、複数の前記電子素子を載置するために用いられる。本実施形態において、コンデンサ３０及びインダクタンス５０は、板体１０の同一面上に設けられている。板体１０には、複数の線路（図示せず）がさらに配設されている。交流電流或いは直流電流は、複数の前記線路を介してコンデンサ３０及びインダクタンス５０に入力される。
【００１１】
図２に示すように、コンデンサ３０は、金属或いはプラスチックからなるハウジング３２を備える。本実施形態において、ハウジング３２は、円柱体であり、周面３４を備える。
【００１２】
図３に示すように、インダクタンス５０は、金属或いはプラスチックからなるハウジング５２を備える。本実施形態において、ハウジング５２は、立方体であり、上面５４を備える。
【００１３】
無線周波タグ７０は、１２５ＫＨｚ、１３３ＫＨｚ、１３．５６ＭＨｚ、２７．１２ＭＨｚ、４３３ＭＨｚ、９０２〜９２８ＭＨｚ、２．４５ＧＨｚ或いは５．８ＧＨｚなどの周波数バンドにおいて使用可能である。また、無線周波タグ７０は、チップ７２及びチップ７２に電気的に接続された誘導コイル７４を備える。誘導コイル７４は、無線周波タグ７０を備える回路基板１００の中の交流電流が発生する磁場に感応することで、微弱な電流を生成して、チップ７２を駆動させる。このようにして、無線周波タグ７０は、外部電源により給電されなくても、動作できる。
【００１４】
チップ７２の内部には、無線周波タグ７０を備えた回路基板１００の識別情報（ＩＤ）が予め記憶されている。ここで、識別情報は、生産日、型番及びメンテナンスした日付などの情報を含む。さらに、無線周波タグ７０は、誘電コイル７４を介して外部のリーダー（図示せず）と通信する。よって、前記リーダーは、回路基板１００の識別情報を読み取って、回路基板１００を管理してコントロールすることができる。
【００１５】
無線周波タグ７０は、複数の前記電子素子に設けることができる。具体的には、本実施形態において、無線周波タグ７０は、コンデンサ３０或いはインダクタンス５０に設けられる。無線周波タグ７０をコンデンサ３０に設ける場合、接着或いは嵌め込みなどの方法を介して、無線周波タグ７０をコンデンサ３０の周面３４に実装する。また、無線周波タグ７０をインダクタンス５０に設ける場合、接着或いは嵌め込みなどの方法を介して、無線周波タグ７０をインダクタンス５０の天井壁５４に実装する。上述したように、無線周波タグ７０は、電源を必要としない部品である。よって、無線周波タグ７０は、コンデンサ３０及びインダクタンス５０などの電子部品からの妨害を受けない。
【００１６】
本考案は、無線周波タグ７０を回路基板１００の電子素子に設けることによって、以下の利点を得ることができる。第一に、回路基板１００の板体１０の配線空間を占有せず、回路基板１００の面積を増大させない。第二に、板体１０における既定の配線のレイアウトに影響を与えず、回路基板１００の製造プロセスを変更する必要はない。第三に、回路基板１００の洗浄、放熱などに有利である。第四に、無線周波タグ７０を電子素子に実装することで、生産性を向上させ、且つコストを節約することができる。
【００１７】
無線周波タグ７０を備える回路基板１００を製造する過程において、リーダーを利用して無線周波タグ７０内に記憶された、回路基板１００に関する識別情報を読み取った後、当該識別情報を端末装置（例えば、コンピュータ）に伝送する。これにより、管理者は、回路基板１００の情報などをリアルタイムに追跡して管理することができる。
【００１８】
また、上記の実施形態に記載した電子素子は、コンデンサ及びインダクタンスに限定されるものではない。前記電子素子は、コネクタなどの部品であっても良い。
【００１９】
本考案に係る無線周波タグを備えた回路基板１００は、無線周波タグ７０を電子素子に実装する。これにより、前記電子素子は、素子としての機能を有するだけでなく、非接触型の自動識別機能も有する。また、無線周波タグ７０を電子素子に実装することで、前記電子素子を備えた回路基板１００の配線空間を効果的に節約することができる。
【符号の説明】
【００２０】
１０  板体
３０  コンデンサ
３２  ハウジング
３４  周面
５０  インダクタンス
５２  ハウジング
５４  上面
７０  無線周波タグ
７２  チップ
７４  誘導コイル
１００  回路基板
【図１】
0003191709.tif 000003
【図２】
0003191709.tif 000004
【図３】
0003191709.tif 000005
【手続補正書】
【提出日】平成26年4月28日(2014.4.28)
【手続補正１】
【補正対象書類名】実用新案登録請求の範囲
【補正対象項目名】請求項１
【補正方法】変更
【補正の内容】
【請求項１】
板体及び前記板体に集積された複数の電子素子を備え、少なくとも１つの前記電子素子には、無線周波タグが実装され、前記無線周波タグの内部には、前記電子素子を有する回路基板の識別情報が記憶されていることを特徴とする回路基板。